(57)【要約】      （修正有）【課題】繰出部により紙葉類を１枚ずつ繰り出す前に束状態の複数の紙葉類を水平状態から水平面に対して角度をなすよう傾斜させることにより紙葉類の間に混入していた異物を除去することができる紙葉類処理装置および紙葉類処理方法を提供する。【解決手段】紙葉類処理装置（例えば、紙幣処理装置）は、束状態の複数の紙葉類を水平状態で搬送する第１搬送部３０と、紙葉類を１枚ずつ繰り出す繰出部４０と、第１搬送部３０により搬送された束状態の複数の紙葉類を繰出部４０に搬送する第２搬送部５０とを備えており、第２搬送部５０は、束状態の複数の紙葉類を水平状態から水平面に対して角度をなすよう傾斜させるようになっている。【選択図】図５
2016169076.tif 000002
【特許請求の範囲】
【請求項１】
束状態の複数の紙葉類を水平状態で搬送する第１搬送部と、
紙葉類を１枚ずつ繰り出す繰出部と、
前記第１搬送部により搬送された束状態の複数の紙葉類を前記繰出部に搬送する第２搬送部と、
を備え、
前記第２搬送部は、束状態の複数の紙葉類を水平状態から水平面に対して角度をなすよう傾斜させる、紙葉類処理装置。
【請求項２】
前記第２搬送部は、前記第１搬送部により搬送された束状態の複数の紙葉類を挟持する一対の挟持部材を有しており、
前記第２搬送部において、一対の前記挟持部材により挟持された束状態の複数の紙葉類が水平状態から水平面に対して角度をなすよう傾斜させられるようになっている、請求項１記載の紙葉類処理装置。
【請求項３】
前記第２搬送部において、一対の前記挟持部材により挟持された束状態の複数の紙葉類が水平面に対して角度をなすよう傾斜させられた後、当該紙葉類は一対の前記挟持部材から解放されるようになっている、請求項２記載の紙葉類処理装置。
【請求項４】
前記第２搬送部において、一対の前記挟持部材により挟持された束状態の複数の紙葉類が水平面に対して角度をなすよう傾斜させられ、一対の前記挟持部材から紙葉類が解放された後、一対の前記挟持部材は往復移動を行うようになっている、請求項３記載の紙葉類処理装置。
【請求項５】
前記第２搬送部において、一対の前記挟持部材により挟持された束状態の複数の紙葉類が水平面に対して角度をなすよう傾斜させられ、一対の前記挟持部材から紙葉類が解放された後、一対の前記挟持部材は所定の軸心を中心として揺動するようになっている、請求項４記載の紙葉類処理装置。
【請求項６】
前記第２搬送部において、一対の前記挟持部材により挟持された束状態の複数の紙葉類が水平面に対して角度をなすよう傾斜させられ、一対の前記挟持部材から紙葉類が解放された後、一対の前記挟持部材は紙葉類の傾斜方向に直交する方向に往復移動するようになっている、請求項４記載の紙葉類処理装置。
【請求項７】
前記第２搬送部において、一対の前記挟持部材により挟持された束状態の複数の紙葉類が水平面に対して角度をなすよう傾斜させられ、一対の前記挟持部材から紙葉類が解放された後、一対の前記挟持部材は紙葉類の傾斜方向に沿った方向に往復移動するようになっている、請求項４記載の紙葉類処理装置。
【請求項８】
前記第２搬送部において、一対の前記挟持部材により挟持された束状態の複数の紙葉類が水平面に対して角度をなすよう傾斜させられた後、一対の前記挟持部材は紙葉類の傾斜方向に沿った方向における上方位置に移動するようになっており、一対の前記挟持部材が上方位置に移動した後、一対の前記挟持部材により挟持された束状態の複数の紙葉類が当該挟持部材から解放されるようになっている、請求項３記載の紙葉類処理装置。
【請求項９】
前記第２搬送部には、一対の前記挟持部材により挟持された束状態の複数の紙葉類をスライドさせるスライド部材が設けられており、
前記第２搬送部において、一対の前記挟持部材により挟持された束状態の複数の紙葉類が水平面に対して角度をなすよう傾斜させられた後、束状態の複数の紙葉類は前記スライド部材によりこの紙葉類の傾斜方向における上方にスライドされ、その後に一対の前記挟持部材から束状態の複数の紙葉類が解放されるようになっている、請求項３乃至７のいずれか一項に記載の紙葉類処理装置。
【請求項１０】
前記第２搬送部は、一対の前記挟持部材により水平面に対して角度をなすよう傾斜させられ、当該挟持部材から解放された束状態の複数の紙葉類の下側の端部を保持する保持部材を更に有している、請求項２乃至９のいずれか一項に記載の紙葉類処理装置。
【請求項１１】
前記第２搬送部において、水平面に対して角度をなすよう傾斜させられた束状態の複数の紙葉類が一対の前記挟持部材から解放された後に、前記保持部材は束状態の複数の紙葉類の保持状態を変化させるようになっている、請求項１０記載の紙葉類処理装置。
【請求項１２】
前記第２搬送部において、水平面に対して角度をなすよう傾斜させられた束状態の複数の紙葉類が一対の前記挟持部材から解放された後に、前記保持部材が束状態の複数の紙葉類を往復移動させるようになっている、請求項１１記載の紙葉類処理装置。
【請求項１３】
前記第２搬送部は、水平面に対して角度をなすよう傾斜させられた束状態の複数の紙葉類が一対の前記挟持部材から解放された後に当該紙葉類を叩いて前記保持部材による紙葉類の保持状態を変化させる叩き部材を更に有している、請求項１０記載の紙葉類処理装置。
【請求項１４】
一対の前記挟持部材は前記第１搬送部の下流側端部に設けられており、
前記第１搬送部により搬送された束状態の複数の紙葉類は、一対の前記挟持部材により移動させられる際に、前記第１搬送部により一対の前記挟持部材側に押動されるようになっている、請求項２乃至１３のいずれか一項に記載の紙葉類処理装置。
【請求項１５】
前記第２搬送部において、水平面に対して角度をなすよう傾斜させられた束状態の複数の紙葉類を一対の前記挟持部材から解放する際に、一対の前記挟持部材のうち一方の前記挟持部材と紙葉類との間の距離が所定の大きさとなったときに一対の前記挟持部材を離間させる方向に移動させる動作が停止させられる、請求項２乃至１４のいずれか一項に記載の紙葉類処理装置。
【請求項１６】
前記第２搬送部は、一対の前記挟持部材の間の距離を検知する検知部材を更に有しており、
前記検知部材により検知された一対の前記挟持部材の間の距離が、一対の前記挟持部材の間にある紙葉類の枚数に基づく所定の大きさとなったときに、一対の前記挟持部材を離間させる方向に移動させる動作が停止させられる、請求項１５記載の紙葉類処理装置。
【請求項１７】
筐体の外部に投出されるべき束状態の複数の紙葉類が前記第２搬送部に送られるようになっており、
前記第２搬送部に送られた、筐体の外部に投出されるべき束状態の複数の紙葉類は、一対の前記挟持部材により挟持された後に水平面に対して角度をなすよう傾斜させられ、一対の前記挟持部材から紙葉類が解放された後に、複数の紙葉類の下側の端部が前記保持部材により保持されることによって当該紙葉類の端部が揃えられる、請求項１０乃至１３のいずれか一項に記載の紙葉類処理装置。
【請求項１８】
紙葉類以外の異物を検知するための異物検知部が前記第１搬送部および前記第２搬送部のうち少なくとも一方に設けられており、
前記第２搬送部において、前記異物検知部により異物が検知されたときにのみ、一対の前記挟持部材により挟持された束状態の複数の紙葉類が水平面に対して角度をなすよう傾斜させられ、一対の前記挟持部材から紙葉類が解放された後、一対の前記挟持部材が往復移動を行う、請求項４乃至７のいずれか一項に記載の紙葉類処理装置。
【請求項１９】
一対の前記挟持部材のうち一方の前記挟持部材は、前記繰出部により紙葉類を繰り出す際に束状態の複数の紙葉類を前記繰出部側に押圧するようになっている、請求項２乃至１８のいずれか一項に記載の紙葉類処理装置。
【請求項２０】
束状態の複数の紙葉類を第１搬送部により水平状態で搬送する工程と、
前記第１搬送部により搬送された束状態の複数の紙葉類を第２搬送部により搬送する工程と、
前記第２搬送部により搬送された束状態の複数の紙葉類を繰出部により１枚ずつ繰り出す工程と、
を備え、
前記第２搬送部により束状態の複数の紙葉類を前記第１搬送部から前記繰出部に搬送する際に、束状態の複数の紙葉類を水平状態から水平面に対して角度をなすよう傾斜させる、紙葉類処理方法。
【発明の詳細な説明】
【技術分野】
【０００１】
本発明は、紙幣等の紙葉類の処理を行う紙葉類処理装置およびこのような紙葉類処理装置による紙葉類処理方法に関する。
【背景技術】
【０００２】
金融機関等で用いられる紙幣入出金機として、従来から、例えば特許文献１に開示されるものが知られている。このような従来の紙幣入出金機においては、顧客により紙幣投入口に束状態で一括投入された紙幣は筐体の内部に取り込まれ、紙幣繰出部により１枚ずつ搬送部により繰り出される。搬送部に繰り出された紙幣はこの搬送部により筐体内で搬送され、識別部により金種や真偽、正損等の識別が行われる。識別部により識別が行われた紙幣は一時保留部に一時的に保留される。ここで、紙幣の入金が確定すると、一時保留部に一時的に保留された紙幣は収納部に収納され、この収納部に収納される。
【先行技術文献】
【特許文献】
【０００３】
【特許文献１】国際特許出願公開公報ＷＯ２００９／１２２５０８Ａ１
【発明の概要】
【発明が解決しようとする課題】
【０００４】
しかしながら、特許文献１に開示されるような従来の紙幣入出金機において、紙幣投入口に一括投入された束状態の複数の紙幣に硬貨やクリップ等の異物が混入していた場合には、この異物は束状態の複数の紙幣から落下せずにそのまま紙幣繰出部に送られてしまう。そして、紙幣繰出部により紙幣が１枚ずつ繰り出される際に、異物が紙幣とともに搬送部に繰り出されてしまうと、当該搬送部において異物が詰まってしまう等のトラブルが発生するおそれがある。
【０００５】
本発明は、このような点を考慮してなされたものであり、繰出部により紙葉類を１枚ずつ繰り出す前に束状態の複数の紙葉類を水平状態から水平面に対して角度をなすよう傾斜させることにより紙葉類の間に混入していた異物を除去することができる紙葉類処理装置および紙葉類処理方法を提供することを目的とする。
【課題を解決するための手段】
【０００６】
本発明の紙葉類処理装置は、束状態の複数の紙葉類を水平状態で搬送する第１搬送部と、紙葉類を１枚ずつ繰り出す繰出部と、前記第１搬送部により搬送された束状態の複数の紙葉類を前記繰出部に搬送する第２搬送部と、を備え、前記第２搬送部は、束状態の複数の紙葉類を水平状態から水平面に対して角度をなすよう傾斜させることを特徴とする。
【０００７】
このような紙葉類処理装置によれば、繰出部により紙葉類を１枚ずつ繰り出す前に束状態の複数の紙葉類を水平状態から水平面に対して角度をなすよう傾斜させることにより紙葉類の間に混入していた異物を除去することができる。
【０００８】
本発明の紙葉類処理装置においては、前記第２搬送部は、前記第１搬送部により搬送された束状態の複数の紙葉類を挟持する一対の挟持部材を有しており、前記第２搬送部において、一対の前記挟持部材により挟持された束状態の複数の紙葉類が水平状態から水平面に対して角度をなすよう傾斜させられるようになっていてもよい。
【０００９】
この場合、前記第２搬送部において、一対の前記挟持部材により挟持された束状態の複数の紙葉類が水平面に対して角度をなすよう傾斜させられた後、当該紙葉類は一対の前記挟持部材から解放されるようになっていてもよい。
【００１０】
また、前記第２搬送部において、一対の前記挟持部材により挟持された束状態の複数の紙葉類が水平面に対して角度をなすよう傾斜させられ、一対の前記挟持部材から紙葉類が解放された後、一対の前記挟持部材は往復移動を行うようになっていてもよい。
【００１１】
この際に、前記第２搬送部において、一対の前記挟持部材により挟持された束状態の複数の紙葉類が水平面に対して角度をなすよう傾斜させられ、一対の前記挟持部材から紙葉類が解放された後、一対の前記挟持部材は所定の軸心を中心として揺動するようになっていてもよい。
【００１２】
あるいは、前記第２搬送部において、一対の前記挟持部材により挟持された束状態の複数の紙葉類が水平面に対して角度をなすよう傾斜させられ、一対の前記挟持部材から紙葉類が解放された後、一対の前記挟持部材は紙葉類の傾斜方向に直交する方向に往復移動するようになっていてもよい。
【００１３】
あるいは、前記第２搬送部において、一対の前記挟持部材により挟持された束状態の複数の紙葉類が水平面に対して角度をなすよう傾斜させられ、一対の前記挟持部材から紙葉類が解放された後、一対の前記挟持部材は紙葉類の傾斜方向に沿った方向に往復移動するようになっていてもよい。
【００１４】
あるいは、前記第２搬送部において、一対の前記挟持部材により挟持された束状態の複数の紙葉類が水平面に対して角度をなすよう傾斜させられた後、一対の前記挟持部材は紙葉類の傾斜方向に沿った方向における上方位置に移動するようになっており、一対の前記挟持部材が上方位置に移動した後、一対の前記挟持部材により挟持された束状態の複数の紙葉類が当該挟持部材から解放されるようになっていてもよい。
【００１５】
また、前記第２搬送部には、一対の前記挟持部材により挟持された束状態の複数の紙葉類をスライドさせるスライド部材が設けられており、前記第２搬送部において、一対の前記挟持部材により挟持された束状態の複数の紙葉類が水平面に対して角度をなすよう傾斜させられた後、束状態の複数の紙葉類は前記スライド部材によりこの紙葉類の傾斜方向における上方にスライドされ、その後に一対の前記挟持部材から束状態の複数の紙葉類が解放されるようになっていてもよい。
【００１６】
また、本発明の紙葉類処理装置において、前記第２搬送部は、一対の前記挟持部材により水平面に対して角度をなすよう傾斜させられ、当該挟持部材から解放された束状態の複数の紙葉類の下側の端部を保持する保持部材を更に有していてもよい。
【００１７】
この場合、前記第２搬送部において、水平面に対して角度をなすよう傾斜させられた束状態の複数の紙葉類が一対の前記挟持部材から解放された後に、前記保持部材は束状態の複数の紙葉類の保持状態を変化させるようになっていてもよい。
【００１８】
この際に、前記第２搬送部において、水平面に対して角度をなすよう傾斜させられた束状態の複数の紙葉類が一対の前記挟持部材から解放された後に、前記保持部材が束状態の複数の紙葉類を往復移動させるようになっていてもよい。
【００１９】
あるいは、前記第２搬送部は、水平面に対して角度をなすよう傾斜させられた束状態の複数の紙葉類が一対の前記挟持部材から解放された後に当該紙葉類を叩いて前記保持部材による紙葉類の保持状態を変化させる叩き部材を更に有していてもよい。
【００２０】
本発明の紙葉類処理装置においては、一対の前記挟持部材は前記第１搬送部の下流側端部に設けられており、前記第１搬送部により搬送された束状態の複数の紙葉類は、一対の前記挟持部材により移動させられる際に、前記第１搬送部により一対の前記挟持部材側に押動されるようになっていてもよい。
【００２１】
本発明の紙葉類処理装置においては、前記第２搬送部において、水平面に対して角度をなすよう傾斜させられた束状態の複数の紙葉類を一対の前記挟持部材から解放する際に、一対の前記挟持部材のうち一方の前記挟持部材と紙葉類との間の距離が所定の大きさとなったときに一対の前記挟持部材を離間させる方向に移動させる動作が停止させられるようになっていてもよい。
【００２２】
この場合、前記第２搬送部は、一対の前記挟持部材の間の距離を検知する検知部材を更に有しており、前記検知部材により検知された一対の前記挟持部材の間の距離が、一対の前記挟持部材の間にある紙葉類の枚数に基づく所定の大きさとなったときに、一対の前記挟持部材を離間させる方向に移動させる動作が停止させられるようになっていてもよい。
【００２３】
本発明の紙葉類処理装置においては、筐体の外部に投出されるべき束状態の複数の紙葉類が前記第２搬送部に送られるようになっており、前記第２搬送部に送られた、筐体の外部に投出されるべき束状態の複数の紙葉類は、一対の前記挟持部材により挟持された後に水平面に対して角度をなすよう傾斜させられ、一対の前記挟持部材から紙葉類が解放された後に、複数の紙葉類の下側の端部が前記保持部材により保持されることによって当該紙葉類の端部が揃えられるようになっていてもよい。
【００２４】
本発明の紙葉類処理装置においては、紙葉類以外の異物を検知するための異物検知部が前記第１搬送部および前記第２搬送部のうち少なくとも一方に設けられており、前記第２搬送部において、前記異物検知部により異物が検知されたときにのみ、一対の前記挟持部材により挟持された束状態の複数の紙葉類が水平面に対して角度をなすよう傾斜させられ、一対の前記挟持部材から紙葉類が解放された後、一対の前記挟持部材が往復移動を行うようになっていてもよい。
【００２５】
本発明の紙葉類処理装置においては、一対の前記挟持部材のうち一方の前記挟持部材は、前記繰出部により紙葉類を繰り出す際に束状態の複数の紙葉類を前記繰出部側に押圧するようになっていてもよい。
【００２６】
本発明の紙葉類処理方法は、束状態の複数の紙葉類を第１搬送部により水平状態で搬送する工程と、前記第１搬送部により搬送された束状態の複数の紙葉類を第２搬送部により搬送する工程と、前記第２搬送部により搬送された束状態の複数の紙葉類を繰出部により１枚ずつ繰り出す工程と、を備え、前記第２搬送部により束状態の複数の紙葉類を前記第１搬送部から前記繰出部に搬送する際に、束状態の複数の紙葉類を水平状態から水平面に対して角度をなすよう傾斜させることを特徴とする。
【００２７】
このような紙葉類処理方法によれば、繰出部により紙葉類を１枚ずつ繰り出す前に束状態の複数の紙葉類を水平状態から水平面に対して角度をなすよう傾斜させることにより紙葉類の間に混入していた異物を除去することができる。
【発明の効果】
【００２８】
本発明の紙葉類処理装置および紙葉類処理方法によれば、繰出部により紙葉類を１枚ずつ繰り出す前に束状態の複数の紙葉類を水平状態から水平面に対して角度をなすよう傾斜させることにより紙葉類の間に混入していた異物を除去することができる。
【図面の簡単な説明】
【００２９】
【図１】本発明の実施の形態による紙幣処理装置の内部の構成を示す概略構成図である。
【図２】図１に示す紙幣処理装置における紙幣投出入機構の構成を示す側面図であって、紙幣投出入口に束状態の複数の紙幣が投入されたときの状態を示す側面図である。
【図３】図２に示す紙幣投出入機構において紙幣投出入口に投入された束状態の複数の紙幣が第１搬送部から第２搬送部に受け渡されたときの状態を示す側面図である。
【図４】図２等に示す紙幣投出入機構において第２搬送部により束状態の複数の紙幣が搬送されるときの状態を示す側面図である。
【図５】図２等に示す紙幣投出入機構において第２搬送部により束状態の複数の紙幣が搬送されるときの状態を示す側面図である。
【図６】図２等に示す紙幣投出入機構において第２搬送部により繰出部に束状態の複数の紙幣が受け渡されたときの状態を示す側面図である。
【図７】図２等に示す紙幣投出入機構において出金一時保留部から第２搬送部に束状態の複数の紙幣が受け渡される最中の状態を示す側面図である。
【図８】図２等に示す紙幣投出入機構に設けられた第２搬送部の構成を示す斜視図であって、束状態の複数の紙幣が一対の挟持部材により挟持される前の状態を示す斜視図である。
【図９】図８に示す第２搬送部において束状態の複数の紙幣が一対の挟持部材により挟持されているときの状態を示す斜視図である。
【図１０】図８等に示す第２搬送部において束状態の複数の紙幣が一対の挟持部材から解放されたときの状態を示す斜視図である。
【図１１】図８等に示す第２搬送部において枚数が比較的多い束状態の紙幣が一対の挟持部材から解放されたときの状態を示す側面図である。
【図１２】図８等に示す第２搬送部において枚数が比較的少ない束状態の紙幣が一対の挟持部材から解放されたときの状態を示す側面図である。
【図１３】図１に示す紙幣処理装置における紙幣投出入機構に設けられた保持部材の構成を示す正面図である。
【図１４】変形例に係る紙幣投出入機構の構成を示す側面図である。
【図１５】図１４に示す紙幣投出入機構において硬貨受け部に硬貨が受けられたときの状態を示す側面図である。
【発明を実施するための形態】
【００３０】
以下、図面を参照して本発明の実施の形態について説明する。図１乃至図１３は、本実施の形態に係る紙幣処理装置およびこのような紙幣処理装置による紙幣処理方法を示す図である。このうち、図１は、本実施の形態による紙幣処理装置の内部の構成を示す概略構成図であり、図２乃至図７は、それぞれ、図１に示す紙幣処理装置における紙幣投出入機構の構成を示す側面図である。また、図８乃至図１０は、それぞれ、図２等に示す紙幣投出入機構に設けられた第２搬送部の構成を示す斜視図である。また、図１１および図１２は、それぞれ、図８等に示す第２搬送部において束状態の複数の紙幣が一対の挟持部材から解放されたときの状態を示す側面図である。また、図１３は、図１に示す紙幣処理装置における紙幣投出入機構に設けられた保持部材の構成を示す正面図である。
【００３１】
本実施の形態による紙幣処理装置１０は、紙幣の入金処理や出金処理等の様々な処理を行うことができるものである。図１に示すように、本実施の形態による紙幣処理装置１０は上部ユニット１４および下部ユニット１６からなる２つのユニットから構成されている。また、紙幣処理装置１０は、略直方体形状の筐体１２と、筐体１２の外部から内部に紙幣を投入したり筐体１２の内部から外部に紙幣を投出したりするための紙幣投出入機構２０とを備えている。なお、図１における筐体１２の左側の側面が当該筐体１２の前面側となっており、図１における右方向が筐体１２の奥行き方向となっている。このため、紙幣投出入機構２０は筐体１２の前面側に配置されている。
【００３２】
また、紙幣処理装置１０の筐体１２内には、紙幣を１枚ずつ搬送する搬送部８０が設けられている。ここで、紙幣投出入機構２０は、筐体１２の外部から当該紙幣投出入機構２０に投入された紙幣を１枚ずつ繰り出すための繰出部４０を有しており、繰出部４０により繰り出された紙幣は搬送部８０により搬送されるようになっている。また、搬送部８０には識別部８２が設けられており、この識別部８２によって、搬送部８０により搬送される紙幣の金種、正損、真偽等の識別が行われるようになっている。また、識別部８２はイメージセンサを有しており、このイメージセンサにより紙幣の画像が撮像されるようになっている。識別部８２では、イメージセンサにより撮像された紙幣の画像に基づいて当該紙幣の記番号に係る情報が取得されるようになっている。
【００３３】
また、搬送部８０には一時保留部８４が接続されており、繰出部４０から搬送部８０に繰り出され、識別部８２により識別が行われた紙幣は搬送部８０により一時保留部８４に送られ、当該一時保留部８４において一時的に保留されるようになっている。また、搬送部８０にはシフト部８６が設けられており、このシフト部８６によって、搬送部８０により搬送される紙幣は、当該搬送部８０による搬送方向と直交する方向（すなわち、搬送部８０により搬送される紙幣の幅方向）に沿ってその位置がシフトされるようになっている。このようなシフト部８６によって、搬送部８０により搬送される紙幣を例えば当該搬送部８０の搬送路の幅方向における中央位置にシフトさせることができるようになる。
【００３４】
また、搬送部８０には出金一時保留部７０が接続されており、紙幣の出金処理が行われる際に、後述する各紙幣収納庫９２から搬送部８０に繰り出された紙幣は識別部８２により識別された後に出金一時保留部７０に積層状態で集積されるようになっている。そして、出金すべき紙幣が全て出金一時保留部７０に集積されると、この出金一時保留部７０から束状態の複数の紙幣が紙幣投出入機構２０に送られ、当該紙幣投出入機構２０により束状態の複数の紙幣が筐体１２の外部に投出されるようになる。このような紙幣投出入機構２０による束状態の複数の紙幣の投出動作の詳細については後述する。
【００３５】
本実施の形態では、これらの紙幣投出入機構２０、識別部８２、一時保留部８４、シフト部８６および出金一時保留部７０は上部ユニット１４に設けられている。
【００３６】
また、図１に示すように、紙幣処理装置１０の下部ユニット１６には複数の収納繰出部９０が設けられており、各収納繰出部９０はそれぞれ搬送部８０に接続されている。各収納繰出部９０は、搬送部８０から送られた紙幣を積層状態で収納するとともに、各収納繰出部９０に設けられた紙幣繰出機構によって当該収納繰出部９０に収納されている紙幣を搬送部８０に１枚ずつ繰り出すことができるようになっている。また、紙幣処理装置１０の下部ユニット１６には複数の紙幣収納庫９２が並列に設けられており、各紙幣収納庫９２はそれぞれ搬送部８０に接続されている。各紙幣収納庫９２は、搬送部８０から送られた紙幣を積層状態で収納するとともに、各紙幣収納庫９２に設けられた紙幣繰出機構によって当該紙幣収納庫９２に収納されている紙幣を搬送部８０に１枚ずつ繰り出すことができるようになっている。ここで、各紙幣収納庫９２には紙幣が金種毎に収納されるようになっている。このような構成により、識別部８２による紙幣の識別結果に基づいて、一時保留部８４に一時的に保留されている紙幣が当該一時保留部８４から搬送部８０に繰り出されてこの搬送部８０によりシフト部８６を経由して各紙幣収納庫９２に金種毎に送られるようになる。
【００３７】
次に、このような紙幣処理装置１０における紙幣投出入機構２０の構成の詳細について図２乃至図１３を用いて説明する。
【００３８】
図２等に示すように、紙幣投出入機構２０は、束状態の複数の紙幣を水平状態で搬送する第１搬送部３０と、紙幣を１枚ずつ繰り出す繰出部４０と、第１搬送部３０により搬送された束状態の複数の紙幣を繰出部４０に搬送する第２搬送部５０とを有している。また、図５に示すように、第２搬送部５０は、束状態の複数の紙幣を水平状態から水平面に対して角度をなすよう傾斜させるようになっている。このような紙幣投出入機構２０の各構成部材の詳細について以下に説明する。
【００３９】
図２等に示すように、第１搬送部３０は、上下方向において互いに離間するよう設けられた一対の循環ベルト３２、３４を有しており、これらの各循環ベルト３２、３４はそれぞれ水平方向に延びている。これらの一対の循環ベルト３２、３４の間に、束状態の複数の紙幣が水平状態で搬送される搬送領域が形成されている。また、筐体１２の前面側における一対の循環ベルト３２、３４の各々の端部の間（すなわち、図２等における一対の循環ベルト３２、３４の各々の左側の端部の間）には、束状態の複数の紙幣を筐体１２の外部から内部に投入したり筐体１２の内部から外部に投出したりするための紙幣投出入口３１が形成されている。また、紙幣投出入口３１には、図示しない紙幣検知センサが設けられており、紙幣投出入口３１に束状態の複数の紙幣が投入されると、当該紙幣検知センサにより紙幣が検知されるようになっている。また、図２等に示すように、筐体１２の奥行き方向における上側の循環ベルト３２の奥側の端部は下側の循環ベルト３４の奥側の端部よりも筐体１２の奥側（すなわち、図２等における右側）に位置するようになっている。
【００４０】
また、図２等に示すように、一対の循環ベルト３２、３４の奥側（すなわち、図２等における右側）には、これらの一対の循環ベルト３２、３４により図２等における右方向に搬送される束状態の複数の紙幣を受ける受け板３８が設けられている。このような受け板３８が設けられていることにより、一対の循環ベルト３２、３４により束状態の複数の紙幣が図２等における右方向に搬送される際に受け板３８に束状態の複数の紙幣が当接することによりこの束状態の複数の紙幣がこれ以上図２等における右方向に搬送されなくなり、後述する第２搬送部５０に適切に受け渡されるようになる。このような第１搬送部３０において、筐体１２の外部から内部に紙幣を投入する際には、紙幣投出入口３１に投入された束状態の複数の紙幣が一対の循環ベルト３２、３４の間に挟まれながら図２等における右方向に水平状態で搬送される。また、筐体１２の内部から外部に紙幣を投出する際には、束状態の複数の紙幣が一対の循環ベルト３２、３４の間に挟まれながら図２等における左方向に水平状態で搬送され、紙幣投出入口３１に送られる。
【００４１】
また、第１搬送部３０において、当該第１搬送部３０から後述する第２搬送部５０に受け渡された束状態の複数の紙幣が紙幣投出入口３１側にはみ出しているか否かを検知するための紙幣検知センサ３６が設けられている。第１搬送部３０から後述する第２搬送部５０に受け渡された束状態の複数の紙幣が紙幣投出入口３１側にはみ出していない場合には紙幣検知センサ３６により紙幣が検知されないが、第２搬送部５０に受け渡された束状態の複数の紙幣のうち少なくとも一部の紙幣が紙幣投出入口３１側にはみ出している場合には紙幣検知センサ３６によりこのはみ出した紙幣が検知されるようになる。
【００４２】
筐体１２の外部から内部に紙幣を投入する際に、第１搬送部３０において一対の循環ベルト３２、３４の間に挟まれながら図２等における右方向に水平状態で搬送された束状態の複数の紙幣は第２搬送部５０に受け渡されるようになる。図２や図８、図９等に示すように、第２搬送部５０は、上下方向において互いに離間するよう設けられた一対の平板形状の挟持部材５２、５４を有しており、第１搬送部３０により搬送された束状態の複数の紙幣は一対の挟持部材５２、５４により挟持されるようになっている。これらの一対の挟持部材５２、５４は、それぞれ、第１搬送部３０から束状態の複数の紙幣が受け渡される第１位置（すなわち、図２や図３に示す位置）と、束状態の複数の紙幣を繰出部４０に受け渡す第２位置（すなわち、図６に示す位置）との間で移動可能となっており、第１位置から第２位置に一対の挟持部材５２、５４が移動する際に、これらの一対の挟持部材５２、５４により挟持された束状態の複数の紙幣が図２や図３に示すような水平状態から水平面に対して角度をなすよう傾斜させられるようになっている。また、上側の挟持部材５４は下側の挟持部材５２に接近する方向および下側の挟持部材５２から離間する方向にそれぞれ移動可能となっており、上側の挟持部材５４と下側の挟持部材５２との間に束状態の複数の紙幣が存在するときに上側の挟持部材５４が下側の挟持部材５２に接近する方向に移動するとこれらの一対の挟持部材５２、５４の間で束状態の複数の紙幣が挟持されるようになる。また、一対の挟持部材５２、５４により束状態の複数の紙幣が挟持された状態で上側の挟持部材５４が下側の挟持部材５２から離間する方向に移動するとこれらの一対の挟持部材５２、５４の間から束状態の複数の紙幣が解放されるようになる。このような一対の挟持部材５２、５４の動作の詳細については後述する。
【００４３】
また、図２や図８等に示すように、第２搬送部５０において、下側の挟持部材５２には左右一対の循環ベルト５６が設けられている。ここで、各循環ベルト５６は、下側の挟持部材５２の上面よりもわずかに上方に突出しており、一対の挟持部材５２、５４により束状態の複数の紙幣が挟持される際に、この束状態の複数の紙幣は各循環ベルト５６に接するようになる。また、各循環ベルト５６は、下側の挟持部材５２に載せられた束状態の複数の紙幣を図２等における左右方向に移動させることができるようになっている。
【００４４】
また、図２等に示すように、第２搬送部５０は、各挟持部材５２、５４が上述した第１位置と第２位置との間で移動する際のこれらの挟持部材５２、５４の左側の端部の軌跡に沿って延びるよう設けられた保持部材６０を有している。図２等に示すように、保持部材６０は、第１搬送部３０における下側の循環ベルト３４の右側の端部から繰出部４０のゲートローラ４６（後述）に向かって湾曲した形状で延びている。より詳細には、図１３に示すように、保持部材６０は互いに平行に延びる複数の棒状部材６０ａを有しており、各棒状部材６０ａは、第１搬送部３０における下側の循環ベルト３４の右側の端部から繰出部４０のゲートローラ４６（後述）に向かって湾曲した形状となっている。また、各棒状部材６０ａの間には、第２搬送部５０により搬送される束状態の複数の紙幣から落下した硬貨やクリップ等の異物が通過する空間（開口）が形成されている。なお、図１３において保持部材６０に設けられた左右一対の開口６０ｂに、後述するゲートローラ４６が通るようになっている。また、図２等に示すように、保持部材６０の下方には、第２搬送部５０により搬送される束状態の複数の紙幣から落下した硬貨やクリップ等の異物を受ける異物受け部６２が設けられている。また、異物受け部６２の近傍には、当該異物受け部６２を撮像するカメラ等の撮像部６４が設けられており、異物受け部６２に異物が受けられたときには、このような撮像部６４による異物受け部６２の映像に基づいて当該異物受け部６２に異物が受けられたことが検知されるようになる。
【００４５】
本実施の形態では、第２搬送部５０において図５に示すように一対の挟持部材５２、５４により水平面に対して角度をなすよう傾斜させられ、上側の挟持部材５４が下側の挟持部材５２から離間する方向に移動してこれらの一対の挟持部材５２、５４から解放された束状態の複数の紙幣の下側の端部が保持部材６０により受けられるようになっている。また、この際に、束状態の複数の紙幣の間に硬貨やクリップ等の異物が挟まっていた場合には、このような異物は束状態の複数の紙幣から落下して保持部材６０の各棒状部材６０ａの間の空間を通ってこの保持部材６０から更に落下し、異物受け部６２により受けられるようになる。
【００４６】
図２等に示すように、繰出部４０は、図６に示すような第２位置で第２搬送部５０から当該繰出部４０に受け渡された束状態の複数の紙幣を１枚ずつ下方に蹴り出すキッカローラ４２と、キッカローラ４２により下方に蹴り出された紙幣を筐体１２の内部に繰り出すフィードローラ４４と、フィードローラ４４に対向して設けられ、当該フィードローラ４４との間で通過する紙幣を１枚ずつに分離するためのゲートローラ４６とを有している。このような繰出部４０では、キッカローラ４２により下方に蹴り出された紙幣はフィードローラ４４とゲートローラ４６との間の隙間を通過し、この際に紙幣が１枚ずつに分離されるようになっており、フィードローラ４４とゲートローラ４６との間の隙間を通過した紙幣は搬送部８０に送られるようになっている。また、図２等に示すように、フィードローラ４４やゲートローラ４６の下方には、第２搬送部５０から繰出部４０に受け渡された束状態の複数の紙幣を撮像するカメラ等の撮像部４８が設けられており、繰出部４０に受け渡された束状態の複数の紙幣の間に硬貨やクリップ等の異物が挟まれている場合には、撮像部４８により撮像された映像に基づいてこのような異物が検知されるようになる。なお、撮像部４８により異物が検知された場合には、繰出部４０による筐体１２の内部への紙幣の繰出動作が停止される。また、この場合には、紙幣処理装置１０の筐体１２の前面や上面に設けられた図示しない表示部に警告メッセージが表示されたり図示しない音声部により警告アナウンスがなされたりするようになる。
【００４７】
また、本実施の形態では、第２搬送部５０において、一対の挟持部材５２、５４の間に挟まれた状態にある束状態の複数の紙幣をこれらの挟持部材５２、５４から解放する際に、上述したように上側の挟持部材５４が下側の挟持部材５２から離間する方向に移動するようになるが、上側の挟持部材５４と束状態の複数の紙幣との間の距離が所定の大きさとなったときに上側の挟持部材５４を下側の挟持部材５２から離間する方向に移動させる動作が停止させられるようになっている。このような第２搬送部５０の構成について図９乃至図１２を用いて説明する。なお、図９は、第２搬送部５０において束状態の複数の紙幣が一対の挟持部材５２、５４により挟持されているときの状態を示す斜視図であり、図１０は、第２搬送部５０において束状態の複数の紙幣が一対の挟持部材５２、５４から解放されたときの状態を示す斜視図である。また、図１１は、第２搬送部５０において枚数が比較的多い束状態の紙幣が一対の挟持部材５２、５４から解放されたときの状態を示す側面図であり、図１２は、第２搬送部５０において枚数が比較的少ない束状態の紙幣が一対の挟持部材５２、５４から解放されたときの状態を示す側面図である。
【００４８】
図９および図１０に示すように、図示しない駆動モータによって駆動される第１ピニオン１００およびこの第１ピニオン１００の歯に噛み合う第１ラック１０２がそれぞれ下側の挟持部材５２に設けられており、第１ピニオン１００が駆動されることにより第１ラック１０２は図９や図１０における上下方向に移動可能となっている。また、上側の挟持部材５４には、第１ラック１０２の上端部に当接可能となっている被押動部材１０４が設けられている。そして、第１ピニオン１００が駆動されて第１ラック１０２が図９における上方向に移動させられたときにこの第１ラック１０２の上端部が被押動部材１０４に接触し、第１ピニオン１００が更に駆動されて第１ラック１０２が更に上方向に移動させられると、この第１ラック１０２により被押動部材１０４が上方向に押動され、上側の挟持部材５４が下側の挟持部材５２から離間する方向（すなわち、図９や図１０における上方向）に移動させられるようになる。
【００４９】
また、図９乃至図１２に示すように、上側の挟持部材５４には第２ラック１０６が設けられているとともに、この第２ラック１０６の歯部分に噛み合うような歯をその外周面に有する第２ピニオン１０７が設けられている。また、複数の貫通穴が設けられた円板形状の検知板１０８が第２ピニオン１０７と同軸で設けられており、第２ピニオン１０７および検知板１０８は同期して回転するようになっている。また、検知板１０８の近傍にはフォトインタラプタ１１０が設けられている。ここで、フォトインタラプタ１１０における発光素子と受光素子との間の光軸は検知板１０８により遮光されるとともに、検知板１０８が回転してこの検知板１０８の貫通穴が光軸に位置したときにフォトインタラプタ１１０は透光状態となり、検知板１０８が回転するとフォトインタラプタ１１０は遮光状態および透光状態が交互に切り替えられるようになっている。このような検知板１０８およびフォトインタラプタ１１０により、第２ピニオン１０７の回転量、すなわち第２ラック１０６の移動量を検知することができるようになる。
【００５０】
本実施の形態では、一対の挟持部材５２、５４の間に挟まれた状態にある束状態の複数の紙幣をこれらの挟持部材５２、５４から解放する際に、図示しない駆動モータにより第１ピニオン１００が駆動されて第１ラック１０２が図９における上方向に移動させられるようになっており、第１ラック１０２の上端部が被押動部材１０４に接触した後に、第１ピニオン１００が更に駆動されて第１ラック１０２が更に上方向に移動させられると、この第１ラック１０２により被押動部材１０４が上方向に押動され、当該被押動部材１０４が取り付けられた上側の挟持部材５４が下側の挟持部材５２から離間する方向（すなわち、図９や図１０における上方向）に移動させられるようになる。また、上側の挟持部材５４が下側の挟持部材５２から離間する方向に移動すると、この上側の挟持部材５４に設けられた第２ラック１０６も上方向に移動し、第２ピニオン１０７が回転することにより検知板１０８も同期して回転するようになる。そして、フォトインタラプタ１１０における遮光状態および透光状態が切り替えられる回数が予め設定された所定の回数に達すると、駆動モータによる第１ピニオン１００の駆動が停止され、上側の挟持部材５４も停止するようになる。この場合には、一対の挟持部材５２、５４の間にある紙幣の枚数にかかわらず、検知板１０８の回転量が一定となることにより第２ピニオン１０７の回転量も一定となり、よって第２ピニオン１０７の移動量も一定となるため上側の挟持部材５４の移動量も一定となる。このことにより、図１１に示すように一対の挟持部材５２、５４の間にある紙幣の枚数が比較的多い場合でも、あるいは図１２に示すように一対の挟持部材５２、５４の間にある紙幣の枚数が比較的少ない場合でも、上側の挟持部材５４と束状態の複数の紙幣との間の距離の大きさは同じ（すなわち、図１１や図１２における参照符号ａで示される大きさ）となる。
【００５１】
従来の紙幣処理装置では、一対の挟持部材の間に挟まれた状態にある束状態の複数の紙幣をこれらの挟持部材から解放する際に、少なくとも一方の挟持部材の位置をフォトインタラプタにより直接検知していたため、一対の挟持部材の間にある紙幣の枚数によって、束状態の複数の紙幣を解放したときの上側の挟持部材と束状態の複数の紙幣との間の距離が変化するようになっていた。この場合には、一対の挟持部材の間にある紙幣の枚数が比較的少ないときに、束状態の複数の紙幣を解放したときの上側の挟持部材と束状態の複数の紙幣との間の距離が大きくなってしまうため、この隙間で紙幣が折り返されたり、紙幣の状態が変化しやすくなることによって詰まり（ジャム）等の問題が生じたりするおそれがあった。これに対し、本実施の形態では、第２搬送部５０において、一対の挟持部材５２、５４の間に挟まれた状態にある束状態の複数の紙幣をこれらの挟持部材５２、５４から解放する際に、上側の挟持部材５４と束状態の複数の紙幣との間の距離が所定の大きさとなったときに上側の挟持部材５４を下側の挟持部材５２から離間する方向に移動させる動作が停止させられるようになっているため、一対の挟持部材５２、５４の間にある紙幣の枚数に関わらず、上側の挟持部材５４と束状態の複数の紙幣との間の距離の大きさが同じとなり、上側の挟持部材５４と束状態の複数の紙幣との間の隙間で紙幣が折り返されたり、紙幣の状態が変化しやすくなることによって詰まり（ジャム）等の問題が生じたりすることを防止することができるようになる。
【００５２】
また、筐体１２の奥行き方向における紙幣投出入機構２０の奥側（すなわち、図２等における第２搬送部５０の右側）には、搬送部８０から送られた出金されるべき紙幣が集積される出金一時保留部７０が設けられている。このような出金一時保留部７０には図２等において上下方向に移動可能となっているシャッタ７２が設けられており、搬送部８０から出金一時保留部７０に紙幣が送られて当該出金一時保留部７０に紙幣が集積される最中はシャッタ７２により出金一時保留部７０の左側の開口（すなわち、第２搬送部５０側の開口）が閉じられるようになっている。一方、出金されるべき紙幣が全て出金一時保留部７０に集積されると、図７に示すようにシャッタ７２が下方に移動して出金一時保留部７０の左側の開口が開かれるようになり、出金一時保留部７０に集積された束状態の複数の紙幣を第２搬送部５０に送ってこの第２搬送部５０の一対の挟持部材５２、５４により挟持させることができるようになる。
【００５３】
次に、このような構成からなる紙幣投出入機構２０による筐体１２の外部から内部への紙幣の投入動作や筐体１２の内部から外部への紙幣の投出動作について図２乃至図７を用いて説明する。
【００５４】
紙幣処理装置１０において紙幣の入金処理が行われる際に、図２に示すように操作者が紙幣投出入機構２０の紙幣投出入口３１に束状態の複数の紙幣を投入すると、紙幣投出入口３１に設けられた図示しない紙幣検知センサにより、紙幣投出入口３１に束状態の複数の紙幣が投入されたことが検知され、このような紙幣検知センサによる紙幣の検知をトリガーとして第１搬送部３０における各循環ベルト３２、３４が駆動されるようになる。具体的には、上側の循環ベルト３２は図２における反時計回りの方向に循環移動し、一方、下側の循環ベルト３４は上側の循環ベルト３２と同じ速度で図２における時計回りの方向に循環移動する。各循環ベルト３２、３４が駆動されると、紙幣投出入口３１に投入された束状態の複数の紙幣が一対の循環ベルト３２、３４の間に挟まれながら図２等における右方向に水平状態で搬送される。そして、一対の循環ベルト３２、３４により搬送される束状態の複数の紙幣が受け板３８に当接するとこの束状態の複数の紙幣がこれ以上図２等における右方向に搬送されなくなり、第２搬送部５０に適切に受け渡されるようになる（図３参照）。
【００５５】
第１搬送部３０から第２搬送部５０に束状態の複数の紙幣が受け渡されると、下側の挟持部材５２が下方向に移動し、それに合わせて上側の挟持部材５４も下方向に移動する。なお、この際に、束状態の複数の紙幣は一対の挟持部材５２、５４により挟持された状態とはなっていない。ここで、第１搬送部３０から第２搬送部５０に受け渡された束状態の複数の紙幣が紙幣投出入口３１側にはみ出していることが紙幣検知センサ３６により検知された場合には、第１搬送部３０の各循環ベルト３２、３４は停止させられることなく駆動し続けるようになる。このことにより、紙幣投出入口３１側にはみ出している紙幣は、下側の挟持部材５２が図３に示す位置から下方向に移動する際に下側の循環ベルト３４によって一対の挟持部材５２、５４側（すなわち、図２等における右側）に寄せられ、束状態の複数の紙幣における紙幣のズレ状態を元に戻すことができるようになる。従来の紙幣処理装置では、一対の循環ベルトの間で挟まれながら搬送された束状態の複数の紙幣がステージ等の後段の搬送部材に受け渡される際に、一対の循環ベルトから後段の搬送部材に受け渡された束状態の複数の紙幣を押し込みレバー等の機構によって一対の循環ベルトから離間する方向に押し込むことによって束状態の複数の紙幣における紙幣のズレ状態を元に戻していたが、このような従来の紙幣処理装置では押し込みレバー等の機構を設置することにより製造コストが大きくなるとともに内部構造が複雑になっていた。これに対し、本実施の形態では、第１搬送部３０から第２搬送部５０に受け渡された束状態の複数の紙幣における紙幣のズレ状態を元に戻す際に、第１搬送部３０における下側の循環ベルト３４を用いているため、束状態の複数の紙幣における紙幣のズレ状態を防止して第２搬送部５０等において詰まり（ジャム）等が発生することを防止することができるとともに、従来の紙幣処理装置における押し込みレバー等の機構を設置する必要がないため製造コストを低減することができるようになる。なお、上記の説明では、第１搬送部３０から第２搬送部５０に受け渡された束状態の複数の紙幣が紙幣投出入口３１側にはみ出していることが紙幣検知センサ３６により検知された場合に、第１搬送部３０の各循環ベルト３２、３４は停止させられることなく駆動し続ける態様について述べたが、他の例として、紙幣検知センサ３６の設置を省略し、下側の挟持部材５２が図３に示す位置から下方向に移動する際に第１搬送部３０の各循環ベルト３２、３４が常に駆動し続けるようにしてもよい。
【００５６】
一対の挟持部材５２、５４が図４に示す位置に到達すると、上側の挟持部材５４が下側の挟持部材５２に接近する方向に移動することにより一対の挟持部材５２、５４の間で束状態の複数の紙幣が挟持されるようになる。その後、一対の挟持部材５２、５４の間で束状態の複数の紙幣が挟持された状態でこれらの一対の挟持部材５２、５４は保持部材６０に沿って所定の軸心を中心として回転移動し、図５に示すような傾斜した位置に到達する。この際に、一対の挟持部材５２、５４に挟持されている束状態の複数の紙幣も、水平状態から水平面に対して角度をなすよう傾斜させられるようになる。その後、上側の挟持部材５４が下側の挟持部材５２から離間する方向に移動することにより一対の挟持部材５２、５４の間から束状態の複数の紙幣が解放される。ここで、水平状態から水平面に対して角度をなすよう傾斜させられた束状態の複数の紙幣の間に硬貨やクリップ等の異物が挟まっていた場合には、このような異物は傾斜状態にある束状態の複数の紙幣から落下して保持部材６０の各棒状部材６０ａの間の空間を通ってこの保持部材６０から更に落下し、異物受け部６２により受けられるようになる。また、異物受け部６２により受けられた異物は撮像部６４により撮像されることによって異物受け部６２により異物が受けられたことが検知される。
【００５７】
また、一対の挟持部材５２、５４が図５に示すような傾斜した位置に到達し、これらの一対の挟持部材５２、５４の間から束状態の複数の紙幣が解放された後に、一対の挟持部材５２、５４は往復移動を行うようになっている。具体的には、一対の挟持部材５２、５４は、保持部材６０に沿って、上記の所定の軸心を中心として図５に示す矢印方向に揺動するようになる。このことにより、一対の挟持部材５２、５４の間にある束状態の複数の紙幣の間に硬貨やクリップ等の異物が挟まっていた場合には、このような異物は揺動させられた束状態の複数の紙幣からより確実に落下して異物受け部６２に受けられるようになり、束状態の複数の紙幣から異物をより確実に除去することができるようになる。
【００５８】
なお、一対の挟持部材５２、５４の間から束状態の複数の紙幣が解放された後の当該一対の挟持部材５２、５４の往復移動は、上記の態様に限定されることはない。他の例として、一対の挟持部材５２、５４が図５に示すような傾斜した位置に到達し、これらの一対の挟持部材５２、５４の間から束状態の複数の紙幣が解放された後に、一対の挟持部材５２、５４は紙幣の傾斜方向に直交する方向に沿って直線上で往復移動するようになっていてもよい。また、更に他の例として、一対の挟持部材５２、５４が図５に示すような傾斜した位置に到達し、これらの一対の挟持部材５２、５４の間から束状態の複数の紙幣が解放された後に、一対の挟持部材５２、５４は紙幣の傾斜方向に沿って直線上で往復移動するようになっていてもよい。
【００５９】
また、更に別の例として、一対の挟持部材５２、５４が図５に示すような傾斜した位置に到達し、これらの一対の挟持部材５２、５４により挟持された束状態の複数の紙幣が水平面に対して角度をなすよう傾斜させられた後、一対の挟持部材５２、５４は紙幣の傾斜方向に沿った方向における上方（すなあち、図５における右上方向）に移動するようになっていてもよい。そして、一対の挟持部材５２、５４が上方位置に移動した後、一対の挟持部材５２、５４により挟持された束状態の複数の紙幣がこれらの挟持部材５２、５４から解放されるようになる。この場合には、一対の挟持部材５２、５４が上方位置に移動した後にこれらの挟持部材５２、５４から解放された束状態の複数の紙幣が元の位置に戻される際に保持部材６０の各棒状部材６０ａに束状態の複数の紙幣が衝突することによってこのような衝撃により束状態の複数の紙幣に挟まれている異物が落下しやすくなり、よって異物をより一層確実に除去することができるようになる。
【００６０】
また、更に別の例として、下側の挟持部材５２に設けられた左右一対の循環ベルト５６と同様の構成で上側の挟持部材５４にも左右一対の循環ベルト（図示せず）に設けられている場合には、一対の挟持部材５２、５４が図５に示すような傾斜した位置に到達し、これらの一対の挟持部材５２、５４により挟持された束状態の複数の紙幣が水平面に対して角度をなすよう傾斜させられた後、下側の挟持部材５２に設けられた各循環ベルト５６および上側の挟持部材５４に設けられた各循環ベルト（図示せず）によって束状態の複数の紙幣が当該紙幣の傾斜方向における上方（すなわち、図５における右上方向）にスライドされるようになっていてもよい。そして、束状態の複数の紙幣がスライドされた後、一対の挟持部材５２、５４から束状態の複数の紙幣が解放されるようになる。この場合には、紙幣の傾斜方向における上方にスライドされた束状態の複数の紙幣が一対の挟持部材５２、５４から解放されて元の位置に戻される際に保持部材６０の各棒状部材６０ａに束状態の複数の紙幣が衝突することによってこのような衝撃により束状態の複数の紙幣に挟まれている異物が落下しやすくなり、よって異物をより一層確実に除去することができるようになる。
【００６１】
また、更に別の例として、水平面に対して角度をなすよう傾斜させられた束状態の複数の紙幣が一対の挟持部材５２、５４から解放された後に、保持部材６０は束状態の複数の紙幣の保持状態を変化させるようになっていてもよい。具体的には、一対の挟持部材５２、５４から束状態の複数の紙幣が解放された後に、保持部材６０は束状態の複数の紙幣を当該保持部材６０に沿った方向に往復移動させるようになっていてもよい。この場合にも、保持部材６０によって束状態の複数の紙幣の保持状態を変化させることにより、束状態の複数の紙幣に挟まれている異物をより一層落下させやすくなる。
【００６２】
また、更に別の例として、第２搬送部５０には、水平面に対して角度をなすよう傾斜させられた束状態の複数の紙幣が一対の挟持部材５２、５４から解放された後に当該紙幣を叩いて保持部材６０による紙幣の保持状態を変化させる叩き部材（図示せず）が設けられていてもよい。このような叩き部材が設けられている場合には、保持部材６０に保持される束状態の複数の紙幣の保持状態を変化させることにより、束状態の複数の紙幣に挟まれている異物をより一層落下させやすくなる。
【００６３】
図５に示すように水平面に対して角度をなすよう傾斜させられた束状態の複数の紙幣が一対の挟持部材５２、５４から解放された後、一対の挟持部材５２、５４が往復移動等を行うことにより束状態の複数の紙幣から異物が除去されると、一対の挟持部材５２、５４により束状態の複数の紙幣が再び挟持され、一対の挟持部材５２、５４は束状態の複数の紙幣を挟持しながら上記の所定の軸心を中心として図５に示す位置から図６に示す位置に回転移動する。そして、一対の挟持部材５２、５４が図６に示す位置に到達すると、上側の挟持部材５４が下側の挟持部材５２から離間する方向に移動することによってこれらの挟持部材５２、５４から束状態の複数の紙幣が解放され、第２搬送部５０から繰出部４０に束状態の複数の紙幣が受け渡される。その後、繰出部４０においてキッカローラ４２により紙幣が１枚ずつ下方に蹴り出され、キッカローラ４２により下方に蹴り出された紙幣はフィードローラ４４とゲートローラ４６との間の隙間を通過し、この際に紙幣が１枚ずつに分離されるようになる。そして、フィードローラ４４とゲートローラ４６との間の隙間を通過した紙幣は搬送部８０に送られ、当該搬送部８０により筐体１２の内部で搬送されるようになる。なお、本実施の形態では、第２搬送部５０から繰出部４０に束状態の複数の紙幣が受け渡された後、繰出部４０においてキッカローラ４２により紙幣が１枚ずつ下方に蹴り出される際に、第２搬送部５０における上側の挟持部材５４によって束状態の複数の紙幣がキッカローラ４２側に押圧されるようになっている。このことにより、キッカローラ４２による紙幣の蹴り出し動作をより確実に行うことができるようになる。
【００６４】
次に、紙幣投出入機構２０による筐体１２の内部から外部への紙幣の投出動作について図７を用いて説明する。
【００６５】
紙幣処理装置１０において紙幣の出金処理が行われる際に、各紙幣収納庫９２から搬送部８０に繰り出された紙幣は識別部８２により識別された後に出金一時保留部７０に積層状態で集積される。なお、搬送部８０から出金一時保留部７０に紙幣が送られて当該出金一時保留部７０に紙幣が集積される最中はシャッタ７２により図２等における出金一時保留部７０の左側の開口（すなわち、第２搬送部５０側の開口）が閉じられている。そして、出金すべき紙幣が全て出金一時保留部７０に集積されると、図７に示すようにシャッタ７２が下方に移動して出金一時保留部７０の左側の開口が開かれるようになり、出金一時保留部７０に集積された束状態の複数の紙幣を第２搬送部５０に送ってこの第２搬送部５０の一対の挟持部材５２、５４により挟持させることができるようになる。出金一時保留部７０から第２搬送部５０に受け渡された束状態の複数の紙幣が一対の挟持部材５２、５４により挟持されると、これらの挟持部材５２、５４は保持部材６０に沿って所定の軸心を中心として回転移動し、図５に示すような傾斜した位置に到達する。この際に、一対の挟持部材５２、５４に挟持されている束状態の複数の紙幣も、水平状態から水平面に対して角度をなすよう傾斜させられるようになる。その後、上側の挟持部材５４が下側の挟持部材５２から離間する方向に移動することにより一対の挟持部材５２、５４の間から束状態の複数の紙幣が解放される。このことにより、束状態の複数の紙幣は水平面に対して角度をなすよう傾斜した状態で保持部材６０により保持されるようになり、この束状態の複数の紙幣の端部（すなわち、図５における左下側の端部）の位置を保持部材６０により揃えることができるようになる。
【００６６】
また、一対の挟持部材５２、５４が図５に示すような傾斜した位置に到達し、これらの一対の挟持部材５２、５４の間から束状態の複数の紙幣が解放された後に、一対の挟持部材５２、５４は往復移動を行うようになっている。具体的には、一対の挟持部材５２、５４は、保持部材６０に沿って、所定の軸心を中心として図５に示す矢印方向に揺動するようになる。このことにより、一対の挟持部材５２、５４の間にある束状態の複数の紙幣も保持部材６０に沿って往復移動を行うため、この束状態の複数の紙幣の端部の位置を保持部材６０によりより一層確実に揃えることができるようになる。その後、一対の挟持部材５２、５４により束状態の複数の紙幣が挟持され、これらの一対の挟持部材５２、５４は束状態の複数の紙幣を挟持した状態で図４に示す位置に移動し、さらに図４に示す位置から上方向に移動して図３に示すように第１搬送部３０の右側に位置するようになる。その後、下側の挟持部材５２に設けられた循環ベルト５６や第１搬送部３０の下側の循環ベルト３４が図３における反時計回りの方向に循環移動するとともに第１搬送部３０の上側の循環ベルト３２が図３における時計回りの方向に循環移動することにより第２搬送部５０から第１搬送部３０に束状態の複数の紙幣が受け渡され、この第１搬送部３０により束状態の複数の紙幣は図３における左方向に搬送されて紙幣投出入口３１に送られるようになる。そして、図１に示すように束状態の複数の紙幣が紙幣投出入口３１に送られると、操作者はこの紙幣投出入口３１から束状態の複数の紙幣を筐体１２の外部に取り出すことができるようになる。ここで、束状態の複数の紙幣の端部（すなわち、図２における各紙幣の左側の端部）の位置は保持部材６０により揃えられているため、操作者が紙幣投出入口３１から束状態の複数の紙幣を取り出す際にこの束状態の複数の紙幣における操作者側の端部の位置が揃った状態となり、操作者は束状態の複数の紙幣を掴みやすくなる。
【００６７】
以上のような構成からなる本実施の形態による紙幣処理装置１０およびこのような紙幣処理装置１０による紙幣処理方法によれば、第１搬送部３０により搬送された束状態の複数の紙幣を繰出部４０に搬送する第２搬送部５０は、束状態の複数の紙幣を水平状態から水平面に対して角度をなすよう傾斜させるようになっている。このことにより、束状態の複数の紙幣の間に硬貨やクリップ等の異物が挟まれていた場合には、水平状態から水平面に対して角度をなすよう傾斜した束状態の複数の紙幣から異物が落下するようになり、繰出部４０に束状態の複数の紙幣が送られる前にこのような異物を除去することができるため、繰出部４０等においてジャム等のトラブルが発生することを防止することができるようになる。なお、本実施の形態では、束状態の複数の紙幣を水平状態から水平面に対して角度をなすよう傾斜させる際に、水平面に対する角度が約９０°となるよう、すなわち水平面に対してほぼ直交する方向に延びるよう、束状態の複数の紙幣が第２搬送部５０により移動させられるようになっていてもよい。
【００６８】
また、本実施の形態の紙幣処理装置１０においては、上述したように、第２搬送部５０は、第１搬送部３０により搬送された束状態の複数の紙幣を挟持する一対の挟持部材５２、５４を有しており、第２搬送部５０において、一対の挟持部材５２、５４により挟持された束状態の複数の紙幣が水平状態から水平面に対して角度をなすよう傾斜させられるようになっている。この場合には、水平状態から水平面に対して角度をなすよう束状態の複数の紙幣が傾斜されるときに、ある紙幣が他の紙幣からずれてしまうことによって束状態の複数の紙幣の端部が揃わなくなってしまうことを防止することができるようになる。
【００６９】
また、本実施の形態の紙幣処理装置１０においては、上述したように、第２搬送部５０において、一対の挟持部材５２、５４により挟持された束状態の複数の紙幣が水平面に対して角度をなすよう傾斜させられた後、当該紙幣は一対の挟持部材５２、５４から解放されるようになっている。また、第２搬送部５０において、一対の挟持部材５２、５４により挟持された束状態の複数の紙幣が水平面に対して角度をなすよう傾斜させられ、一対の挟持部材５２、５４から紙幣が解放された後、一対の挟持部材５２、５４は往復移動を行うようになっている。この場合には、束状態の複数の紙幣が一対の挟持部材５２、５４により揺すられるようになり、この束状態の複数の紙幣の間に挟まっている異物が落下しやすくなるため、束状態の複数の紙幣から異物をより確実に除去することができるようになる。ここで、第２搬送部５０において、一対の挟持部材５２、５４により挟持された束状態の複数の紙幣が水平面に対して角度をなすよう傾斜させられ、一対の挟持部材５２、５４から紙幣が解放された後、一対の挟持部材５２、５４は所定の軸心を中心として揺動するようになっている。あるいは、第２搬送部５０において、一対の挟持部材５２、５４により挟持された束状態の複数の紙幣が水平面に対して角度をなすよう傾斜させられ、一対の挟持部材５２、５４から紙幣が解放された後、一対の挟持部材５２、５４は紙幣の傾斜方向に直交する方向や紙幣の傾斜方向に沿って直線上で往復移動するようになっていてもよい。
【００７０】
あるいは、第２搬送部５０において、一対の挟持部材５２、５４により挟持された束状態の複数の紙幣が水平面に対して角度をなすよう傾斜させられた後、一対の挟持部材５２、５４は紙幣の傾斜方向に沿った方向における上方位置に移動するようになっており、一対の挟持部材５２、５４が上方位置に移動した後、一対の挟持部材５２、５４により挟持された束状態の複数の紙幣がこれらの挟持部材５２、５４から解放されるようになっていてもよい。この場合には、一対の挟持部材５２、５４が上方位置に移動した後にこれらの挟持部材５２、５４から解放された束状態の複数の紙幣が元の位置に戻される際に保持部材６０の各棒状部材６０ａに束状態の複数の紙幣が衝突することによってこのような衝撃により束状態の複数の紙幣に挟まれている異物が落下しやすくなり、よって異物をより一層確実に除去することができるようになる。また、第２搬送部５０には、一対の挟持部材５２、５４により挟持された束状態の複数の紙幣をスライドさせるスライド部材として下側の挟持部材５２に設けられた循環ベルト５６および上側の挟持部材５４に設けられた循環ベルト（図示せず）が用いられ、一対の挟持部材５２、５４により挟持された束状態の複数の紙幣が水平面に対して角度をなすよう傾斜させられた後、上記のスライド部材によって束状態の複数の紙幣が当該紙幣の傾斜方向における上方にスライドされ、その後に一対の挟持部材５２、５４から束状態の複数の紙幣が解放されるようになっていてもよい。この場合には、紙幣の傾斜方向における上方にスライドされた束状態の複数の紙幣が一対の挟持部材５２、５４から解放されて元の位置に戻される際に保持部材６０の各棒状部材６０ａに束状態の複数の紙幣が衝突することによってこのような衝撃により束状態の複数の紙幣に挟まれている異物が落下しやすくなり、よって異物をより一層確実に除去することができるようになる。また、第２搬送部５０において、一対の挟持部材５２、５４により挟持された束状態の複数の紙幣が水平面に対して角度をなすよう傾斜させられ、一対の挟持部材５２、５４から紙幣が解放された後、束状態の複数の紙幣は循環ベルト５６によりこの紙幣の傾斜方向における上方にスライドされ、その後に循環ベルト５６により元の位置に戻されるようになっていてもよい。この場合にも、各循環ベルト５６によって束状態の複数の紙幣が元の位置に戻される際に保持部材６０の各棒状部材６０ａに束状態の複数の紙幣が衝突することによってこのような衝撃により束状態の複数の紙幣に挟まれている異物が落下しやすくなり、よって異物をより一層確実に除去することができるようになる。
【００７１】
また、本実施の形態の紙幣処理装置１０においては、上述したように、第２搬送部５０は、一対の挟持部材５２、５４により水平面に対して角度をなすよう傾斜させられ、当該挟持部材５２、５４から解放された束状態の複数の紙幣の下側の端部を保持する保持部材６０を更に有している。この場合には、挟持部材５２、５４から解放された束状態の複数の紙幣がばらけてしまい、束状態の複数の紙幣の端部が揃わなくなってしまうことを防止することできる。また、第２搬送部５０において、水平面に対して角度をなすよう傾斜させられた束状態の複数の紙幣が一対の挟持部材５２、５４から解放された後に、保持部材６０は束状態の複数の紙幣の保持状態を変化させるようになっていてもよい。具体的には、一対の挟持部材５２、５４から束状態の複数の紙幣が解放された後に、保持部材６０は束状態の複数の紙幣を往復移動させるようになっていてもよい。この場合にも、保持部材６０によって束状態の複数の紙幣の保持状態を変化させることにより、束状態の複数の紙幣に挟まれている異物をより一層落下させやすくなる。また、第２搬送部５０は、水平面に対して角度をなすよう傾斜させられた束状態の複数の紙幣が一対の挟持部材５２、５４から解放された後に当該紙幣を叩いて保持部材６０による紙幣の保持状態を変化させる叩き部材を更に有していてもよい。このような叩き部材が設けられている場合には、保持部材６０に保持される束状態の複数の紙幣の保持状態を変化させることにより、束状態の複数の紙幣に挟まれている異物をより一層落下させやすくなる。
【００７２】
また、本実施の形態の紙幣処理装置１０においては、上述したように、一対の挟持部材５２、５４は第１搬送部３０の下流側端部に設けられており、第１搬送部３０により搬送された束状態の複数の紙幣は、一対の挟持部材５２、５４により移動させられる際に、第１搬送部３０（具体的には、下側の循環ベルト３４）により一対の挟持部材５２、５４側（すなわち、図２等における右側）に押動されるようになっている。このことにより、第１搬送部３０から第２搬送部５０に受け渡された束状態の複数の紙幣が紙幣投出入口３１側にはみ出している場合でも、紙幣投出入口３１側にはみ出している紙幣は、下側の挟持部材５２が図３に示す位置から下方向に移動する際に下側の循環ベルト３４によって一対の挟持部材５２、５４側（すなわち、図２等における右側）に寄せられ、束状態の複数の紙幣における紙幣のズレ状態を元に戻すことができるようになる。このように、本実施の形態では、第１搬送部３０から第２搬送部５０に受け渡された束状態の複数の紙幣における紙幣のズレ状態を元に戻す際に、第１搬送部３０における下側の循環ベルト３４を用いているため、束状態の複数の紙幣における紙幣のズレ状態を防止して第２搬送部５０等において詰まり（ジャム）等が発生することを防止することができるとともに、従来の紙幣処理装置における押し込みレバー等の機構を設置する必要がないため製造コストを低減することができるようになる。
【００７３】
また、本実施の形態の紙幣処理装置１０においては、上述したように、第２搬送部５０において、水平面に対して角度をなすよう傾斜させられた束状態の複数の紙幣を一対の挟持部材５２、５４から解放する際に、一対の挟持部材５２、５４のうち一方の挟持部材（具体的には、上側の挟持部材５４）と紙幣との間の距離が所定の大きさとなったときに一対の挟持部材５２、５４を離間させる方向に移動させる動作が停止させられるようになっている。この場合には、一対の挟持部材５２、５４の間にある紙幣の枚数に関わらず、上側の挟持部材５４と束状態の複数の紙幣との間の距離の大きさは同じとなるため、上側の挟持部材５４と束状態の複数の紙幣との間の空間で紙幣が折り返されたり紙幣の状態が変化しやすくなることによって詰まり（ジャム）等の問題が生じたりすることを防止することができるようになる。
【００７４】
また、本実施の形態の紙幣処理装置１０においては、上述したように、筐体１２の外部に投出されるべき束状態の複数の紙幣が出金一時保留部７０から第２搬送部５０に送られるようになっており、第２搬送部５０に送られた、筐体１２の外部に投出されるべき束状態の複数の紙幣は、一対の挟持部材５２、５４により挟持された後に水平面に対して角度をなすよう傾斜させられ、一対の挟持部材５２、５４から紙幣が解放された後に、複数の紙幣の下側の端部が保持部材６０により保持されることによって当該紙幣の端部が揃えられるようになっている。この場合には、出金されるべき束状態の複数の紙幣が紙幣投出入口３１に送られ、操作者がこの紙幣投出入口３１から束状態の複数の紙幣を取り出す際に束状態の複数の紙幣における操作者側の端部の位置が揃った状態となり、操作者は束状態の複数の紙幣を掴みやすくなる。
【００７５】
また、本実施の形態の紙幣処理装置１０においては、上述したように、一対の挟持部材５２、５４のうち一方の挟持部材（具体的には、上側の挟持部材５４）は、繰出部４０により紙幣を繰り出す際に束状態の複数の紙幣を繰出部４０のキッカローラ４２側に押圧するようになっている。この場合には、キッカローラ４２による紙幣の蹴り出し動作をより確実に行うことができるようになる。
【００７６】
なお、本実施の形態による紙幣処理装置１０およびこのような紙幣処理装置１０による紙幣処理方法は、上述したような態様に限定されることはなく、様々な変更を加えることができる。
【００７７】
例えば、第１搬送部３０や第２搬送部５０において、束状態の複数の紙幣の間に挟まれる硬貨やクリップ等の異物を検知するための異物検知部が設けられていてもよい。このような異物検知部としては、例えば第１搬送部３０における一対の循環ベルト３２、３４の間で搬送される束状態の複数の紙幣を側方から撮像するカメラや、第１搬送部３０から第２搬送部５０に受け渡されてこの第２搬送部５０の一対の挟持部材５２、５４の間に位置する束状態の複数の紙幣を側方から撮像するカメラ等が挙げられる。そして、第２搬送部５０において、このような異物検知部により異物が検知されたときにのみ、一対の挟持部材５２、５４により挟持された束状態の複数の紙幣が水平面に対して角度をなすよう傾斜させられ、一対の挟持部材５２、５４から紙幣が解放された後、一対の挟持部材５２、５４が往復移動を行うようになっていてもよい。すなわち、第１搬送部３０や第２搬送部５０に設けられた異物検知部により異物が検知されなかった場合には、第１搬送部３０から第２搬送部５０に受け渡された束状態の複数の紙幣が一対の挟持部材５２、５４により挟持された後、途中でこれらの挟持部材５２、５４から解放されることなく繰出部４０に搬送され、第２搬送部５０から繰出部４０に束状態の複数の紙幣が受け渡されるようになっていてもよい。
【００７８】
また、第１搬送部３０における一対の循環ベルト３２、３４の間で搬送される束状態の複数の紙幣を側方から撮像するカメラや、第１搬送部３０から第２搬送部５０に受け渡されてこの第２搬送部５０の一対の挟持部材５２、５４の間に位置する束状態の複数の紙幣を側方から撮像するカメラにより、束状態の複数の紙幣が帯封紙や輪ゴム等の結束部材で結束されていることが検知された場合には、この束状態の複数の紙幣は第２搬送部５０により繰出部４０に送られることなく、第１搬送部３０により紙幣投出入口３１に戻されるようになっていてもよい。また、この場合には、紙幣処理装置１０の筐体１２の前面や上面に設けられた図示しない表示部に警告メッセージが表示されたり図示しない音声部により警告アナウンスがなされたりするようになる。
【００７９】
また、第１搬送部３０は、紙幣投出入口３１に投入された束状態の複数の紙幣を一対の循環ベルト３２、３４の間で搬送するものに限定されることはない。変形例に係る第１搬送部として、紙幣投出入口に投入された束状態の複数の紙幣が台車に収容され、この台車により束状態の複数の紙幣が第２搬送部に送られるような構成のものが用いられてもよい。
【００８０】
また、図２等に示す紙幣投出入機構２０の態様では、第１搬送部３０や第２搬送部５０の下方に繰出部４０が設けられているが、このような態様に限定されることはない。変形例に係る紙幣投出入機構において、第１搬送部や第２搬送部の上方に繰出部が設けられていてもよい。
【００８１】
また、紙幣投出入機構２０の第２搬送部５０において、水平面に対して角度をなすよう傾斜させられた束状態の複数の紙幣を一対の挟持部材５２、５４から解放する際に、一対の挟持部材５２、５４のうち一方の挟持部材（具体的には、上側の挟持部材５４）と紙幣との間の距離が所定の大きさとなったときに一対の挟持部材５２、５４を離間させる方向に移動させる動作を停止させる方法は、上述したような第２ラック１０６、第２ピニオン１０７、検知板１０８、フォトインタラプタ１１０等を用いた方法に限定されることはない。他の方法として、一対の挟持部材５２、５４の間の距離を検知する検知部材（図示せず）を第２搬送部５０に設けるようにし、第２搬送部５０における一対の挟持部材５２、５４により挟持された束状態の複数の紙幣の枚数に係る情報が紙幣処理装置１０の制御部（図示せず）に送られた場合に、上記の検知部材により検知された一対の挟持部材５２、５４の間の距離が、一対の挟持部材５２、５４の間にある紙幣の枚数に基づく所定の大きさとなったときに、一対の挟持部材５２、５４を離間させる方向に移動させる動作を停止させるようになっていてもよい。具体的には、上記の検知部材により検知された一対の挟持部材５２、５４の間の距離が、一対の挟持部材５２、５４の間にある紙幣の枚数に基づいて算出される束紙幣の複数の紙幣の厚さと、上側の挟持部材５４と束状態の複数の紙幣との間の距離の望ましい大きさ（すなわち、図１１や図１２における参照符号ａで示される大きさ）との合計の大きさとなったときに、一対の挟持部材５２、５４を離間させる方向に移動させる動作を停止させるようになっていてもよい。このような場合には、第２搬送部５０に第２ラック１０６、第２ピニオン１０７、検知板１０８、フォトインタラプタ１１０等を設けなくても、水平面に対して角度をなすよう傾斜させられた束状態の複数の紙幣を一対の挟持部材５２、５４から解放する際に、一対の挟持部材５２、５４の間にある紙幣の枚数に関わらず、上側の挟持部材５４と束状態の複数の紙幣との間の距離の大きさは同じとなる。このことによって、上側の挟持部材５４と束状態の複数の紙幣との間の空間で紙幣が折り返されたり紙幣の状態が変化しやすくなることによって詰まり（ジャム）等の問題が生じたりすることを防止することができるようになる。
【００８２】
また、筐体１２の外部から内部に紙幣を投入したり筐体１２の内部から外部に紙幣を投出したりするための紙幣投出入機構として、図１４および図１５に示すような構成の紙幣投出入機構２０ａが用いられてもよい。図１４および図１５に示す紙幣投出入機構２０ａは、図２乃至図１３に示す紙幣投出入機構２０と比較して、繰出部４０の近傍における保持部材６０の下方に硬貨受け部６６が追加的に設けられるとともに下側の挟持部材５２における上側の挟持部材５４と対向する側の表面に押圧検知センサ５２ａが追加的に設けられる点が異なるのみであり、他の構成部材については図２乃至図１３に示す紙幣投出入機構２０と略同一となっている。図１４および図１５に示すような変形例に係る紙幣投出入機構２０ａを説明するにあたり、図２乃至図１３に示す紙幣投出入機構２０と同一の構成部材については同一の参照符号を付してその説明を省略する。なお、図１４および図１５では、紙幣投出入機構２０ａにおける第１搬送部３０の図示を省略している。
【００８３】
図１４および図１５に示すような変形例に係る紙幣投出入機構２０ａでは、一対の挟持部材５２、５４が第２位置に移動して束状態の複数の紙幣が第２搬送部５０から繰出部４０に受け渡された後、この繰出部４０により紙幣が１枚ずつ筐体１２の内部に繰り出される際に、上側の挟持部材５４により束状態の複数の紙幣が繰出部４０のキッカローラ４２側に押圧される。そして、上側の挟持部材５４により束状態の複数の紙幣に加えられた押圧力が、下側の挟持部材５４に設けられた押圧検知センサ５２ａにより検知されるようになる。
【００８４】
一方、第２搬送部５０から繰出部４０に受け渡された束状態の複数の紙幣に硬貨が混入しており、この硬貨が束状態の複数の紙幣の間から下方に落下すると、図１５に示すように当該硬貨は硬貨受け部６６により受けられるようになる。ここで、硬貨受け部６６はその上面が櫛歯形状となっており、この櫛歯形状の各溝の幅の大きさは、最もサイズが大きい硬貨の厚みよりもわずかに大きくなっている。そして、硬貨受け部６６に受けられた硬貨が櫛歯形状の溝の間に入ると、この硬貨は硬貨受け部６６から上方に延びるような立位状態となり、当該硬貨の一部が束状態の複数の紙幣の間に残るようになる。このことにより、繰出部４０に受け渡された束状態の複数の紙幣が上側の挟持部材５４により繰出部４０のキッカローラ４２側に押圧されても、この押圧力が硬貨受け部６６に受けられた立位状態の硬貨により遮られてしまい、上側の挟持部材５４により束状態の複数の紙幣に加えられた押圧力が押圧検知センサ５２ａで検知されなくなる。このように、図１４および図１５に示すような変形例に係る束状態の複数の紙幣上側の挟持部材５４により束状態の複数の紙幣に加えられた押圧力が押圧検知センサ５２ａにより検知されるか否かによって、硬貨受け部６６に硬貨が受けられているか否かを判別することができるようになる。
【００８５】
押圧検知センサ５２ａによる検知結果に基づいて硬貨受け部６６に硬貨が受けられていると判別された場合には、繰出部４０による紙幣の繰り出し動作が停止され、紙幣処理装置１０の筐体１２の前面や上面に設けられた図示しない表示部に警告メッセージが表示されたり図示しない音声部により警告アナウンスがなされたりするようになる。また、硬貨受け部６６に硬貨が受けられていると判別された場合に、一対の挟持部材５２、５４により束状態の複数の紙幣を挟持した状態で第２搬送部５０が第２位置から第１位置に移動し、その後に第２搬送部５０から第１搬送部３０に束状態の複数の紙幣が受け渡されてこの第１搬送部３０の各循環ベルト３２、３４により紙幣投出入口３１に束状態の複数の紙幣が戻されるようになっていてもよい。
【００８６】
また、本発明による紙葉類処理装置や紙葉類処理方法により処理される紙葉類は紙幣に限定されることはない。本発明による紙葉類処理装置や紙葉類処理方法は、束状態の複数の紙葉類として、紙幣以外の紙葉類（具体的には、小切手や商品券等）の処理を行うことができるようになっていてもよい。
【符号の説明】
【００８７】
１０    紙幣処理装置
１２    筐体
１４    上部ユニット
１６    下部ユニット
２０    紙幣投出入機構
３０    第１搬送部
３１    紙幣投出入口
３２、３４  循環ベルト
３６    紙幣検知センサ
３８    受け板
４０    繰出部
４２    キッカローラ
４４    フィードローラ
４６    ゲートローラ
４８    撮像部
５０    第２搬送部
５２、５４  挟持部材
５２ａ  押圧検知センサ
５６    循環ベルト
６０    保持部材
６０ａ  棒状部材
６０ｂ  開口
６２    異物受け部
６４    撮像部
６６    硬貨受け部
７０    出金一時保留部
７２    シャッタ
８０    搬送部
８２    識別部
８４    一時保留部
８６    シフト部
９０    収納繰出部
９２    紙幣収納庫
１００  第１ピニオン
１０２  第１ラック
１０４  被押動部材
１０６  第２ラック
１０７  第２ピニオン
１０８  検知板
１１０  フォトインタラプタ
【図１】
2016169076.tif 000003
【図２】
2016169076.tif 000004
【図３】
2016169076.tif 000005
【図４】
2016169076.tif 000006
【図５】
2016169076.tif 000007
【図６】
2016169076.tif 000008
【図７】
2016169076.tif 000009
【図８】
2016169076.tif 000010
【図９】
2016169076.tif 000011
【図１０】
2016169076.tif 000012
【図１１】
2016169076.tif 000013
【図１２】
2016169076.tif 000014
【図１３】
2016169076.tif 000015
【図１４】
2016169076.tif 000016
【図１５】
2016169076.tif 000017